(57)【特許請求の範囲】
【請求項１】
騒音の発生源から伝播する該騒音の透過を抑制する防音壁であって、
壁を支えるように並列する状態に立設される複数本の支柱部材と、該支柱部材の間の表面側および裏面側を閉塞するように平面を縦方向にする姿勢で積み上げる複数枚の表裏一対の防音板材と、前記支柱部材および前記防音板材により形成される空間の上側開口部および下側開口部を閉塞する閉塞部材と、を備えて、
前記防音板材の間に、前記支柱部材で区画されて閉塞されている空気層を形成することを特徴とする防音壁。
【請求項２】
前記防音板材の全部または一部に、透光性を有する透光板材を用いることを特徴とする請求項１に記載の防音壁。
【請求項３】
前記防音板材は、前記支柱部材に取り付けた保持部材により落込スペースを形成して、該落込スペース内に差し込んで積み上げることを特徴とする請求項１または２に記載の防音壁。
【請求項４】
前記防音板材は、前記支柱部材の隣接方向あるいは高さ方向に応じて対面間隔を異ならせて、前記空気層の厚さを変化させていることを特徴とする請求項１から３のいずれかに記載の防音壁。
【請求項５】
前記支柱部材としてＨ鋼を用いて、
前記防音板材は、該Ｈ鋼の対面部の内面または外面のいずれか一方側に位置するように支持させることを特徴とする請求項１から４のいずれかに記載の防音壁。
【請求項６】
前記防音板材は、前記支柱部材間の表裏面の間にも介装されて、前記空気層を多層に区画すること特徴とする請求項１から５のいずれかに記載の防音壁。
【請求項７】
前記防音板材は、平面方向に延在するリブ形状の桟が形成されていることを特徴とする請求項１から６のいずれかに記載の防音壁。
【請求項８】
前記防音板材の一面側または他面側の一方あるいは双方に、耐火シートが貼付されていることを特徴とする請求項１から７のいずれかに記載の防音壁。
【請求項９】
騒音の発生源を覆って該騒音の外部への漏出を抑制する防音ハウスであって、
上記請求項１から８のいずれかに記載の防音壁により前記騒音発生源の周囲を囲むとともに、当該防音壁により囲まれている空間の天井部も該防音壁の前記支柱部材を横臥姿勢に架設して前記防音板材と前記閉塞部材により閉塞されている空気層が形成されていることを特徴とする防音ハウス。
【請求項１０】
前記天井部の上側の前記防音板材として、透光性を有する透光板材を傾斜させて屋根材にし、当該屋根材と前記天井部の下側の前記防音板材との間に厚さの変化する閉塞されている空気層を形成することを特徴とする請求項９に記載の防音ハウス。
【発明の詳細な説明】
【技術分野】
【０００１】
本発明は、防音壁および防音ハウスに関し、詳しくは、騒音を抑制するのと同時に、光を透過可能な構造を容易に採用することのできる安価かつ簡易な構築を可能にするものに関する。
【背景技術】
【０００２】
建築工事現場や幹線道路などから発生する騒音は、住環境等を損なうことから、騒音がそのまま周りに漏出しないように、防音壁や防音ハウスで囲うことが行われている。なお、騒音の規制値は、条例で規定されている。
【０００３】
この防音壁や防音ハウスは、基本的には鉄骨フレームの構造物に防音パネルを取り付けたものであり、防音の効果は、防音パネル間の密閉性を除けば、防音パネル自体の防音性能により決まる。
【０００４】
この種の防音パネルは、図１１に示すように、騒音の発生源の反対側から、騒音を遮断する性能に優れる鉄板からなる遮音材１０１と、空気振動を減衰させる空気層１０２と、騒音を吸収するグラスウール等からなる吸音材１０３と、解かれた吸音材１０３が後述のパンチングメタルの穴から外部に出ないように閉塞するグラスクロスからなるカバークロス１０４と、鉄板に複数の穴１０５ａが形成されているパンチングメタル１０５と、が積層状態に組み立てられており、この防音パネル１００は、遮音効率の高い鉄板や吸音効率のよいグラスウールにより構成されて、その厚さを調整するなどして必要な性能を得るようにしている。また、防音ハウスでは、天井に防音パネルを設置して、その上に屋根材を架設するなど防水処理をするのが一般的である。
【０００５】
その一方で、住居などが接近している場所に設置する場合には、隣接する建物に全く日光が当たらなくなる状況になるときもあり、その占用期間が長期にわたるときには、心理的圧迫などの問題もある。このことから、防音壁や防音ハウスでも、自主的に、できるだけ完全な日陰にならないようにすることが行われているが、防音パネルの内部の要素を除いて透光性を有する板材のみを枠内に取り付けたものでは防音性能が著しく劣るため、防音パネルとして機能するとともに透光性を備えるように工夫がなされている（特許文献１、２）。
【０００６】
特許文献１には、道路における騒音を遮断するために設置する防音壁の防音パネルとして、厚板の透光材料の表面を加工して透過光を散乱させるように工夫しており、特許文献２には、図１１に示す防音パネル１００における遮音材１０１とパンチングメタル１０５とを透光性を持つ材料に変えるとともに、吸音材１０３とカバークロス１０４を省略して空気層にすることが提案されている。
【０００７】
しかるに、特許文献１に記載のものでは、単なる厚板であることから、特に、居住地などにおける工事現場に設置する防音ハウスに採用するには、重すぎるとともに、薄くしたのでは騒音を抑制（減衰）する効果が十分ではない。また、特許文献２に記載のものでは、遮音材１０１は透光性を有する樹脂材料などになることから鉄板よりも騒音の遮断性能に劣るとともに、吸音材もなく、空気層も複数の穴を介して直接外部に連通していることから騒音を抑制する効果が十分ではない。
【０００８】
その一方で、空気層の両面側を、透光性を有する樹脂製の板材により閉塞することにより光の透過率をそれほど低下させることなく、遮音性能を向上させている防音パネルが提案されている（特許文献３）。
【０００９】
しかしながら、この特許文献３に記載の防音パネルにあっては、枠部材の両面に透光性樹脂材料からなる透光板材を接着などすることにより、閉塞されている空気層を内部に形成する構造になっており、この防音パネルを立てた姿勢のまま横方向や縦方向にネジ止めして連結することにより防音壁にする必要がある。
【００１０】
このため、この防音パネルは、複数枚をネジ止め作業により連結して初めて防音壁等にすることができ、その１枚が高価であるとともに、作業に時間が掛かることから全体としては高コストになってしまうため採用し難い。
【先行技術文献】
【特許文献】
【００１１】
【特許文献１】特開２０１０−６５４９２号公報
【特許文献２】特開２００２−１４６７２７号公報
【特許文献３】登録実用新案第３００４９２８号公報
【発明の概要】
【発明が解決しようとする課題】
【００１２】
そこで、本発明は、全体を低コストに、かつ、軽量に構築することのできる取り扱い易い簡易な構造の防音壁や防音ハウスを提供することを目的としている。
【課題を解決するための手段】
【００１３】
上記課題を解決する防音壁の発明は、騒音の発生源から伝播する該騒音の透過を抑制する防音壁であって、壁を支えるように並列する状態に立設される複数本の支柱部材と、該支柱部材の間の表面側および裏面側を閉塞するように平面を縦方向にする姿勢で積み上げる複数枚の表裏一対の防音板材と、前記支柱部材および前記防音板材により形成される空間の上側開口部および下側開口部を閉塞する閉塞部材と、を備えて、前記防音板材の間に、前記支柱部材で区画されて閉塞されている空気層を形成することを特徴とするものである。
【００１４】
この発明では、支柱部材の表裏面に防音板材が積み上げられるとともに上下開口部には閉塞部材が設けられることにより閉塞された空間層が内部に形成される。したがって、騒音は、両面側の防音板材による遮音性能により透過することが妨げられるのと同時に、内部の空気層によっても減衰されるとともに、その空気層は閉塞されているので、防音板材を透過した後に空気層を外部に連通させる開口から抜けてしまうこともない。
【発明の効果】
【００１５】
このように本発明によれば、支柱部材の表裏面に防音板材を積み上げて上下開口部に閉塞部材を設けるだけで、表裏両面の防音板材の内部に閉塞空間層を形成する防音壁を構築することができ、１枚の防音板材で減衰させた騒音が閉塞空気層から外部に抜けてしまうことなく、再度、１枚の防音板材で減衰させることができる。したがって、防音壁全体を取り扱い易い簡易で軽量な低コストの構造にすることができ、所望の箇所に容易に採用して安価に設置することができる。
【図面の簡単な説明】
【００１６】
【図１】本発明に係る防音壁および防音ハウスの第１実施形態の概略全体構成を示す図であり、（ａ）はその外観斜視図、（ｂ）はその鉛直方向の断面図である。
【図２】その要部構成を示す一部を拡大した鉛直方向の断面概念図である。
【図３】その要部部品を示す鉛直方向の断面図である。
【図４】その要部構成を示す図であり、（ａ）はその一部を拡大した水平方向の断面図、（ｂ）はその一部を拡大した鉛直方向の断面図である。
【図５】その他の態様を示す図であり、（ａ）はその要部部品を示す鉛直方向の断面図、（ｂ）はその要部部品を示す正面図、（ｃ）はその一部構成を示す拡大した鉛直方向の断面図である。
【図６】本発明に係る防音壁および防音ハウスの第２実施形態の要部構成を示す一部を拡大した水平方向の断面図である。
【図７】本発明に係る防音壁および防音ハウスの第３実施形態の要部構成を示す一部を拡大した水平方向の断面図である。
【図８】本発明に係る防音壁および防音ハウスの第４実施形態を示す図であり、（ａ）はその要部構成を示す一部を拡大した鉛直方向の断面概念図、（ｂ）はその要部部品を示す正面図である。
【図９】本発明に係る防音壁および防音ハウスの第５実施形態の要部構成を示す一部を拡大した鉛直方向の断面図である。
【図１０】その他の態様を示す要部部品の斜視図である。
【図１１】防音壁を構成する防音パネルの関連技術を示す図であり、その要部部品を示す鉛直方向の断面図である。
【発明を実施するための形態】
【００１７】
本発明の実施形態としては、上記の課題解決手段のように、騒音の発生源から伝播する該騒音の透過を抑制する防音壁であって、壁を支えるように並列する状態に立設される複数本の支柱部材と、該支柱部材の間の表面側および裏面側を閉塞するように平面を縦方向にする姿勢で積み上げる複数枚の表裏一対の防音板材と、前記支柱部材および前記防音板材により形成される空間の上側開口部および下側開口部を閉塞する閉塞部材と、を備えて、前記防音板材の間に、前記支柱部材で区画されて閉塞されている空気層を形成することを基本構成とするのに加えて、次の構成を備えてもよい。
【００１８】
第１の形態としては、前記防音板材の全部または一部に、透光性を有する透光板材を用いてもよい。
【００１９】
この形態では、防音壁の全部または一部、例えば、隣接する住居への日光を遮る箇所の防音板材として透光板材を用いることにより、日陰にしてしまうことなく、工事等を継続することができる。
【００２０】
第２の形態としては、前記防音板材は、前記支柱部材に取り付けた保持部材により落込スペースを形成して、該落込スペース内に差し込んで積み上げてもよい。
【００２１】
この形態では、支柱部材に保持部材を取り付けて形成した落込スペースに複数枚の防音板材を順次差し込むだけで積み上げることができ、容易に支柱部材の表裏面側を防音板材で閉塞する状態にすることができる。
【００２２】
第３の形態としては、前記防音板材は、前記支柱部材の隣接方向あるいは高さ方向に応じて対面間隔を異ならせて、前記空気層の厚さを変化させてもよい。
【００２３】
この形態では、住居の高さなど騒音を遮断する外部側の事情や、騒音の発生場所などの事情に応じて防音板材の間の対面間隔を変えて空気層の厚さを調整することができ、必要以上に厚くすることなく、効果的に騒音を遮断することができる。
【００２４】
第４の形態としては、前記支柱部材としてＨ鋼を用いて、前記防音板材は、該Ｈ鋼の対面部の内面または外面のいずれか一方側に位置するように支持させてもよい。
【００２５】
この形態では、Ｈ鋼の対面部の内面や外面を選択して防音板材を支持させることにより内部に形成する閉塞空気層の厚さを調整することができ、隣接方向や高さ方向にも選択する内面や外面を変えることにより必要な箇所に防音特性を容易に備えさせることができる。
【００２６】
第５の形態としては、前記防音板材は、前記支柱部材間の表裏面の間にも介装されて、前記空気層を多層に区画するようにしてもよい。
【００２７】
この形態では、支柱部材の表裏側の防音板材により閉塞されている空気層がその間の防音板材でさらに区画されて多層化されることにより、空気層の間の防音板材でも振動が低減されるとともに空気層間でそのまま伝播されることがなく、その支柱部材の表裏側の間の防音板材でも騒音が減衰される。
【００２８】
第６の形態としては、前記防音板材は、平面方向に延在するリブ形状の桟が形成されていてもよい。
【００２９】
この形態では、防音板材の表面または裏面の一方あるいは双方にリブ形状の桟が延在して平面方向（撓み方向）の強度を向上させることができる。
【００３０】
第７の形態としては、前記防音板材の一面側または他面側の一方あるいは双方に、耐火シートが貼付されていてもよい。
【００３１】
この形態では、防音板材が容易に着火してしまうことを抑制することができ、例えば、透光性を持たせるために樹脂材料により作製する場合にも自身が用意に燃焼してしまうことを制限することができる。
【００３２】
第８の形態としては、騒音の発生源を覆って該騒音の外部への漏出を抑制する防音ハウスであって、上記の防音壁により前記騒音発生源の周囲を囲むとともに、当該防音壁により囲まれている空間の天井部も該防音壁の前記支柱部材を横臥姿勢に架設して前記防音板材と前記閉塞部材により閉塞されている空気層が形成されていてもよい。
【００３３】
この形態では、壁だけでなく天井部でも、上記の防音壁での作用効果を得ることができ、騒音の発生源を覆って上方から抜け出てしまうことも防止することができる。
【００３４】
第９の形態としては、前記天井部の上側の前記防音板材として、透光性を有する透光板材を傾斜させて屋根材にし、当該屋根材と前記天井部の下側の前記防音板材との間に厚さの変化する閉塞されている空気層を形成するようにしてもよい。
【００３５】
この形態では、透光板材の屋根材と天井部下側の間に内方ほど厚さの拡大する大容量の空気層を形成することができ、より効果的に外部に放出される騒音を減衰させることができる。
【００３６】
第１０の形態としては、防音板材を外枠部材の両面側に固設して内部に空気層を形成する防音パネルを、前記防音板材として支柱部材の表裏面側に固設してもよい。
【００３７】
この形態では、既成の防音パネルを利用して所望の厚さの空気層を有する防音壁や防音ハウスを構築することができ、表裏面の間の空気層を防音パネルの防音板材により多層に容易に区画することができる。
【００３８】
以下、図面を参照して、本発明の実施形態について詳細に説明する。図１〜図４は本発明に係る防音壁および防音ハウスの第１実施形態を示す図である。なお、本実施形態では、上述の図１１に示す防音パネル１００も利用することから、同一の符号を付して説明する。
【００３９】
図１において、防音ハウス１０は、例えば、工事するトンネル内への各種機材などの搬入・搬出口として縦穴Ｈが大きく開口するために、その縦穴Ｈから作業に伴う騒音が地上に漏出することを防止するために設置するものであり、その縦穴Ｈの周囲に防音壁１１を立設するとともに、その防音壁１１の上部開口を塞ぐように屋根としても機能する防音天井３０を取り付けて全体を隙間なく覆うように構築されている。
【００４０】
防音壁１１は、図２にも図示するように、縦穴Ｈの隣接位置に作業場所を確保する四角のスペースを囲うように一定間隔で立設されている複数本の支柱部材１２と、この支柱部材１２の間の表面側（防音ハウス１０の外部側）を閉塞するように平面を縦向き姿勢にして積み上げるようにして取り付けられている複数枚の防音パネル１００と、同様に支柱部材１２の間の表面側と裏面側（防音ハウス１０の内部側）を閉塞するように平面を縦向き姿勢にして積み上げるようにして取り付けられている複数枚の防音パネル１４と、この支柱部材１２と防音パネル１４により縦向きの面で囲まれている上側開口部１１ａと下側開口部１１ｂを閉塞するように固設されている閉塞部材１５と、により構成されており、この防音壁１１は、防音パネル１４に挟まれて閉塞部材１５により閉塞されている空気層１６が支柱部材１２により並列方向に連続する複数空間に区画されている。なお、防音パネル１００は、１枚で防音機能を有することから防音ハウス１０の外面側に取り付けられている。
【００４１】
防音天井３０は、防音壁１１の支柱部材１２のＨ鋼をそのまま流用して横臥させる姿勢にした複数本の梁部材３１の両端部側をその支柱部材１２に並列状態になるように支持させており、防音壁１１と同様に、その梁部材３１には、天井の構成部材として複数枚の防音パネル１００、１４を横臥する姿勢で支持させることにより防音壁１１により囲まれている天井部分を閉塞するようになっている。すなわち、防音パネル１００は、梁部材３１の間の表面側（防音ハウス１０の外部側）を閉塞するように平面を横向きの水平姿勢にして隣接させるとともに、防音パネル１４は、梁部材３１の間の表面側と裏面側（防音ハウス１０の内部側）を閉塞するように平面を横向きの水平姿勢にして隣接させることにより天井として機能するようになっており、その防音パネル１４と梁部材３１とで囲まれている開口部３０ａは、閉塞部材１５が梁部材３１に固設されて閉塞されている。これにより、この防音天井３０でも、防音壁１１と同様に、防音パネル１４に挟まれて閉塞部材１５により閉塞されている空気層１６が梁部材３１により並列方向に連続する複数空間に区画されている。なお、この防音天井３０は、防音パネル１００、１４の境界部分には、適宜、隙間を埋める充填材を充填したり、あるいは、透明シートを被せて防水性を高めるようにすれば良い。
【００４２】
防音パネル１００は、上述の図１１で説明したように、遮音材１０１と、空気層１０２と、吸音材１０３と、カバークロス１０４と、パンチングメタル１０５と、が所望の防音性能を発揮する厚さ以上にされて、負担なく搬送することができるなど、作業に適した縦横寸法（サイズ）に作製されて組み立てられている。この防音パネル１００は、例えば、縦９００ｍｍ、横１８００ｍｍ、厚さ１００ｍｍの寸法に作製されて、防音ハウス１０内で発生した騒音をパンチングメタル１０５の穴１０５ａから内部に進入させて吸音材１０３で吸収した後にその透過分を空気層１０２で減衰させて遮音材１０１で反射することにより、防音ハウス１０の外部にまで透過する騒音をできるだけ少なくするようになっている。
【００４３】
また、防音パネル１００は、遮音材１０１やパンチングメタル１０５を縦の姿勢にしたときの上面に、長手方向に延在する断面三角形の畝形状部１００ａが形成される一方、その下面には、長手方向に延在してその畝形状部１００ａを嵌め込んで位置決めする溝形状部１００ｂが形成されており、その上面と下面を突き合わせて畝形状部１００ａと溝形状部１００ｂとを嵌め合い係合させることにより、積み上げて１枚の防音壁１１として、また、隣接させて防音天井３０として機能するようになっている。
【００４４】
防音パネル１４は、図３に示すように、防音パネル１００の外周部分に相当する枠形状に形成されて側面部２１ａの内方に開口部２１ｂが両面側に開口しているフレーム部材２１と、そのフレーム部材２１の開口部２１ｂよりも大面積に形成されて透光性を有するポリカーボネイトなどの樹脂材料からなる透光板材２２と、が組み立てられて作製されており、透光板材２２は、フレーム部材２１の一面側の開口部２１ｂを閉塞するように、周囲の４辺側端辺２２ａが内側から側面部２１ａにリベット２３により固定されている。これにより、この防音パネル１４は、重ねられても透光板材２２がフレーム部材２１の側面部２１ａの内方に位置して搬送時などに傷ついてしまうことを回避することができる。
【００４５】
この防音パネル１４の透光板材２２は、閉塞空気層１６と共に所望の遮音性能を発揮する厚さ以上に作製されており、日光を遮ることなく透過することを許容したり、内部から外部を、また、外部から内部を目視できるようにする場合には透明にする一方、ある程度の明り取り程度にして目視可能にするまでもない場合には、半透明にすればよい。また、この透光板材２２は、周辺環境状況により両面側に耐火シート（図示は省略）を貼付するも良く、防音ハウス１０の外部からの悪戯や事故により、また、防音ハウス１０内での発火により容易に着火燃焼してしまうことを抑制することができる。
【００４６】
また、この防音パネル１４は、防音パネル１００と外形寸法が同一に作製されており、同様に、上面と下面を突き合わせて畝形状部１４ａと溝形状部１４ｂとを嵌め合い係合させることにより積み上げ、または、隣接させることができ、また、防音パネル１００の上側や下側に位置させて積み上げたり、防音天井３０では隣接させることもできるようになっている。
【００４７】
支柱部材１２や梁部材３１は、図４（ａ）に示すように、断面Ｈ字形状のＨ鋼であり、防音パネル１００、１４の横幅に一致する間隔でＨ形のウェブ１２ｗ、３１ｗ（梁部材３１は、図２を参照）を対面させており、フランジ（対面部）１２ｆ、３１ｆが同一方向に延長されている姿勢で立設・並列されている。この支柱部材１２や梁部材３１には、ウェブ１２ｗ、３１ｗの両側のフランジ１２ｆ、３１ｆの内面１２ａ、３１ａ（３１ａは不図示）のそれぞれに防音パネル１００、１４の周縁部（防音パネル１４では枠形状の側面部２１ａ）を近接対面させる状態にしつつ内方に倒れないように支持する断面コ字形状の保持部材２４Ｋ（断面Ｌ字形状の部材を２枚使いでも良い）がウェブ１２ｗ、３１ｗに溶接されて（ネジ止めなどでもよい）固設されている。すなわち、支柱部材１２や梁部材３１のフランジ１２ｆ、３１ｆと保持部材２４Ｋとは、隣接する支柱部材１２や梁部材３１側との間で、防音パネル１００、１４を差込可能な厚さで開口する空間（落込スペース）を形成しており、その空間に順次差し込むだけで防音パネル１００、１４を積み上げたり、隣接させることができ、その防音パネル１００、１４を支柱部材１２や梁部材３１のフランジ１２ｆ、３１ｆに沿う姿勢に保持して、その支柱部材１２や梁部材３１の間を容易に閉塞状態にすることができるようになっている。なお、保持部材２４Ｋは、防音パネル１００、１４の振動等を制限するように、支柱部材１２や梁部材３１のフランジ１２ｆ、３１ｆに押し付ける方向に付勢する弾性機能を備えさせても良い。
【００４８】
そして、この支柱部材１２や梁部材３１には、図１および図２に示すように、防音壁１１の矢印Ｂで示す左側上部と防音天井３０の矢印Ａで示す左側で、透光性能を有する２枚の防音パネル１４がそれぞれの透光板材２２をフランジ１２ｆ、３１ｆ側に対面させる姿勢にして保持部材２４Ｋとの間で支持するようにセットされており、透光性能を有さない１枚の防音パネル１００が防音パネル１４以外の箇所で防音ハウス１０の外面側に位置するようにフランジ１２ｆ、３１ｆと保持部材２４Ｋとの間で支持するようにセットされている。
【００４９】
閉塞部材１５は、図４（ｂ）に示すように、支柱部材１２や梁部材３１のフランジ１２ｆ、３１ｆの間で、防音ハウス１０の外面側にセットされる１枚の防音パネル１００と、その防音パネル１００の上側や隣接位置にセットされる２枚の防音パネル１４との間に介装させるようにウェブ１２ｗ、３１ｗに取り付けられており、そのウェブ１２ｗ、３１ｗと同一幅に形成することにより防音パネル１４の端辺側に密接して開口部１１ａ、１１ｂ、３０ａを閉塞するようになっている。
【００５０】
この閉塞部材１５は、ウェブ１２ｗ、３１ｗの幅方向中央に溶接等されて固設されている支持ブロック２５に両端側を同様に溶接等されて支持されており、その両面側には、防音パネル１４、１００の端部側に圧接して畝形状部１００ａや溝形状部１００ｂに倣うように変形して密接する、防振機能も兼ね備えるゴム部材１５ａ、１５ｂが貼付されている。これにより、閉塞部材１５は、防音パネル１４、１００の振動を制限するとともに、防音パネル１４による開口部１１ａ、１１ｂ、３０ａを確実に閉塞することができるようになっている。なお、この閉塞部材１５は、支持箇所をウェブ１２ｗ、３１ｗの中央に限るものではなく、支持ブロック２５に代えて、フランジ側にＬ字部材を固設して支持させるようにしても良い。
【００５１】
また、閉塞部材１５は、支柱部材１２や梁部材３１の間に架設するように長尺な部材に形成することにより、防音パネル１４の全幅を閉塞する状態にして乗せるなどしている。
【００５２】
これにより、防音壁１１や防音天井３０は、防音パネル１００の上側や隣接位置に形成する、支柱部材１２や梁部材３１と防音パネル１４の透光板材２２との間の空間の開口部１１ａ、１１ｂ、３０ａを閉塞部材１５で閉塞することができる。このため、防音パネル１００の設置位置では、本来の防音機能が発揮されるとともに、防音パネル１４の設置位置では、透光板材２２自体による遮音効果に加えて、フレーム部材２１の厚さの２枚分に、その間の保持部材２４Ｋの支持スペース分を加えた厚さ、例えば、２５０ｍｍの閉塞された空気層１６による振動の減衰効果により十分な防音効果を得ることができ、この空気層１６は閉塞されているので、外部に連通する開口箇所から内部に進入した騒音が漏れてしまうこともない。ここで、透光板材２２の間の閉塞空気層１６の厚さとしては、支柱部材１２や梁部材３１の厚さがあれば十分であり、例えば、１００ｍｍ以上あれば期待する防音効果を得ることができ、より好ましくは、１５０ｍｍ以上、さらには、防音パネル１４を重ねたときの２００ｍｍ程度あれば所望の防音性能を得ることができる。
【００５３】
さらに、この防音壁１１や防音天井３０は、左側上部に透光性能を有する防音パネル１４を配置しているので、遮光してしまうことなく、隣接する住居などが日陰になってしまうことを回避することができ、日光を確保しつつ騒音を低減させている環境内で工事を継続することができる。
【００５４】
このように本実施形態においては、支柱部材１２や梁部材３１のフランジ１２ｆ、３１ｆ間に防音パネル１００や防音パネル１４（透光板材２２）を積み上げて、その防音パネル１４の両端側に開口する開口部１１ａ、１１ｂ、３０ａを閉塞部材１５で閉塞するだけで、防音パネル１００だけでなく、透光性能を有する防音パネル１４でも２枚の透光板材２２による遮音効果と共に閉塞空気層１６による減衰効果で十分な防音効果を得ることができる。したがって、防音パネル１４のように透光板材２２を枠形状のフレーム部材２１に取り付けるだけの簡易で軽量な低コストに作製可能な構造でも、防音効果を得つつ所望の透光性能を備えさせることができ、住宅地に近い現場でも騒音を低減する防音ハウス１０を設置して住環境を損なうことなく工事を継続することができる。
【００５５】
本実施形態の第１の他の態様としては、図示することは省略するが、上述実施形態では、既存の防音パネル１００を利用する場合を一例にして説明するが、これに限らず、例えば、透光性能を必要としない箇所でも、透光板材２２に代えて、遮音特性に優れる鉄板（防音板材）を取り付けて、防音パネル１４と同様に積み上げるなどして防音ハウスを構築するようにしても良い。この場合には、同様な構造の防音パネルを積み上げるなどして防音ハウスを構築することができ、必要な防音性能に応じて使い分けることにより、さらに、低コスト化を図ることができる。
【００５６】
また、第２の他の態様としては、上述実施形態では、透光板材２２をフレーム部材２１の側面部２１ａの内側に固定することにより内側に位置させて傷が付くことを回避するようにしているが、これに限るものではなく、例えば、図５に示すように、その側面部２１ａを内側に窪ませて外面側に透光板材２２を取り付ける構造でも傷付くことを回避することができるとともに、リベット２３が重ねる際に邪魔になることを回避することもできる。また、同図に示すように、透光板材２２の一面側（両面でも良い）中央の短尺方向（長尺方向でも良い）にリブ形状で延在する桟部２６を形成して、平面方向の強度を向上させることができる。また、同図に示すように、そのフレーム部材２１の前面側の左右に、支柱部材１２や梁部材３１のフランジ１２ｆ、３１ｆに圧接させて変形密着させる防振機能を有するゴム部材２７を設けることにより、振動等の発生を制限するとともに閉塞度を向上させたり、そのフレーム部材２１の上面や下面にも同様に防振機能を有するゴム部材２８ａ、２８ｂを両側辺と中央とで長手方向に延在するように設けることにより、積み上げるなどして互いに圧接させる際に変形させて振動等の発生を制限するとともに閉塞度を向上させてもよい。さらに、同図に示すように、フレーム部材２１の側面部２１ａと透光板材２２の４辺側端辺２２ａとの間の４辺にも同様に防振機能を有するゴム部材２９を介在させて、リベット２３で固定する際に圧接変形させて振動等の発生を制限するとともに閉塞度を向上させてもよい。
【００５７】
次に、図６は本発明に係る防音壁および防音ハウスの第２実施形態を示す図である。ここで、本実施形態は、上述実施形態と略同様に構成されていることから、同様の構成には同一の符号を付して特徴部分を説明する（以下で説明する他の実施形態においても同様）。
【００５８】
図６において、防音ハウス１０における防音壁１１の支柱部材１２や防音天井３０の梁部材３１は、フランジ１２ｆ、３１ｆの外面１２ｂ、３１ｂ（３１ｂは図示を省略）のそれぞれに防音パネル１００、１４の周縁部（防音パネル１４では枠形状の側面部２１ａ）を近接対面させる状態にしつつ外方に倒れないように支持する断面Ｔ字形状の保持部材２４Ｔがフランジ１２ｆ、３１ｆ間のウェブ１２ｗ、３１ｗの外側延長線上に溶接されて（ネジ止めなどでもよい）固設されている。すなわち、支柱部材１２や梁部材３１のフランジ１２ｆ、３１ｆと保持部材２４Ｔとは、隣接する支柱部材１２や梁部材３１側との間で、防音パネル１００、１４を差込可能な厚さで開口する空間（落込スペース）を形成しており、その空間に順次差し込むだけで防音パネル１００、１４を積み上げたり、隣接させることができ、その防音パネル１００、１４を支柱部材１２や梁部材３１のフランジ１２ｆ、３１ｆに沿う姿勢に保持して、その支柱部材１２や梁部材３１の間を容易に閉塞する状態にできるようになっている。なお、保持部材２４Ｔは、防音パネル１００、１４の振動等を制限するように、支柱部材１２や梁部材３１のフランジ１２ｆ、３１ｆに押し付ける方向に付勢する弾性機能を備えさせても良い。
【００５９】
そして、この支柱部材１２や梁部材３１には、防音壁１１の左側上部と防音天井３０の左側に、透光性能を有する２枚の防音パネル１４がそれぞれの透光板材２２をフランジ１２ｆ、３１ｆから離隔する外側で対面する姿勢にして保持部材２４Ｔとの間で支持するようにセットされており、透光性能を有さない１枚の防音パネル１００が防音パネル１４以外の箇所で防音ハウス１０の外面側に位置するようにフランジ１２ｆ、３１ｆと保持部材２４Ｔとの間で支持するようにセットされている。
【００６０】
なお、閉塞部材１５は、図示することは省略するが、支柱部材１２や梁部材３１のフランジ１２ｆ、３１ｆの外側に位置する１枚の防音パネル１００と、その防音パネル１００の上側や隣接位置にセットされる２枚の防音パネル１４との間に介装させることができるように、フランジ１２ｆ、３１ｆの外側に張り出す形状に形成して防音パネル１４の端辺側の開口部１１ａ、１１ｂ、３０ａを閉塞するようにすればよい。
【００６１】
これにより、防音壁１１や防音天井３０は、透光板材２２の対面間隔である閉塞空気層１６の厚さを変えることができ、ここでは、支柱部材１２や梁部材３１のＨ鋼の幅である２５０ｍｍに、防音パネル１４の厚さ１００ｍｍの２枚分を加えた厚さの閉塞空気層１６による防音効果を得ることができる。
【００６２】
このように本実施形態においては、上述実施形態による作用効果に加えて、住居の高さなど騒音を遮断する外部側の事情や、騒音の発生場所などの事情によって異なる隣接方向あるいは高さ方向の必要な防音機能に応じて、透光板材２２間の閉塞空気層１６の厚さを変えて得られる防音効果を調整することができる。したがって、防音壁１１や防音天井３０の全体を不必要に厚くし過ぎることなく、最適な構造の防音ハウス１０を設置することができる。
【００６３】
次に、図７は本発明に係る防音壁および防音ハウスの第３実施形態を示す図である。
図７において、防音ハウス１０における防音壁１１の支柱部材１２や防音天井３０の梁部材３１は、上述の第１、第２実施形態における保持部材２４Ｋ、２４Ｔを備えることにより、フランジ１２ｆ、３１ｆの内面１２ａ、３１ａ（３１ａは不図示）側と外面１２ｂ、３１ｂ（３１ｂは不図示）側の双方に、防音パネル１００、１４の周縁部（防音パネル１４では枠形状の側面部２１ａ）を近接対面させる状態にして支持できるようになっている。ここで、本実施形態では、フランジ１２ｆ、３１ｆの内側に２枚の防音パネル１４を介在させているが、これに限るものではなく、１枚でもよく、また、支柱部材１２や梁部材３１のサイズを変えることにより、より多くの防音パネル１４を介在させることができるようにしても良いことは言うまでもない。
【００６４】
これにより、防音壁１１や防音天井３０は、防音パネル１４（透光板材２２）の間に防音パネル１４（透光板材２２）を介在させて閉塞空気層１６を厚さ方向に多層化して区画することができ、透光板材２２の両側の空気層１６に振動がそのまま伝達されるのを制限することができるとともに、その間に介在する透光板材２２による遮音効果により防音効果を向上させることができる。
【００６５】
このように本実施形態においては、上述実施形態による作用効果に加えて、住居の高さなど騒音を遮断する外部側の事情や、騒音の発生場所などの事情によって異なる隣接方向あるいは高さ方向の必要な防音機能に応じて、介在させる透光板材２２を追加して防音効果を調整することができる。したがって、防音壁１１や防音天井３０の全体を不必要に厚くし過ぎることなく、最適な構造の防音ハウス１０を設置することができる。
【００６６】
本実施形態の他の態様としては、図示することは省略するが、透光板材２２をフレーム部材２１の両面側に取り付けた防音パネル１４を支柱部材１２や梁部材３１に支持させるようにしても良く、この場合には、より多くの枚数の透光板材２２を閉塞空気層１６内に介在させて区画させることができる。
【００６７】
次に、図８は本発明に係る防音壁および防音ハウスの第４実施形態を示す図である。
図８において、防音ハウス１０の防音天井３０は、上述の実施形態における梁部材３１に代えて、防音壁１１の支柱部材１２の側面に大梁部材３２の両端部を支持させて並列させるとともに、その大梁部材３２の上側で直交方向に並列させるように複数本の小梁部材３３を固定して、この小梁部材３３の上に防音パネル１４、１００を横臥する姿勢でＸＹ方向に敷き詰めて支持させることにより防音壁１１により囲まれている天井部分を閉塞するようになっている。この防音天井３０は、小梁部材３３の上に外側ほど高さｈの低くなる屋根トラス部材３７が立設されており、その屋根トラスト３７の上には、防音パネル１４の透光板材２２に代えて、透光性を有するポリカーボネイトなどの樹脂材料からなる折板屋根材（防音板材）３４が傾斜する姿勢で支持されている。
【００６８】
折板屋根材３４は、縦断面が谷形状と山形状の連続する波形状になるように折り曲げられて大面積の屋根材に作製されている。
【００６９】
これにより、この防音天井３０では、防音壁１１の天井側を閉塞することができるとともに、小梁部材３３上の防音パネル１４、１００と折板屋根材３４との間に、内方ほど厚さの拡大する空気層３６を閉塞状態にして形成することができ、その空気層３６の厚さで効果的に騒音を減衰させることができる。また、防音パネル１４、１００に代えて、折板屋根材３４を用いることにより防水性の透明シートを張るなどの作業を省くことができ、作業量や使用する部材を軽減することができる。
【００７０】
このように本実施形態においては、上述実施形態による作用効果に加えて、上方から抜ける騒音をより低減することができ、また、専用の屋根材を用いることにより特別な防水加工をする必要をなくして、低コスト化することができる。
【００７１】
次に、図９および図１０は本発明に係る防音壁および防音ハウスの第５実施形態を示す図である。
【００７２】
図９において、防音ハウス１０における防音壁１１や防音天井３０は、上述実施形態では透光板材２２をフレーム部材２１に取り付けて積み上げることを実現していたが、これに代えて、フレーム部材２１を省略して積み上げることができる程度の厚さの透光板材（防音板材）４４を採用して積み上げたり、隣接させるようになっており、この透光板材４４は、断面Ｈ字形状の連結部材４１のフランジ４１ｆの間に上下端部４４ａ、４４ｂを差し込んでウェブ４１ｗを挟み込む状態にして積み上げるようになっている。この連結部材４１は、変形して密接する防振機能を有するゴム部材４２がウェブ４１ｗの両面に貼付されており、その透光板材４４の振動を制限するようになっている。
【００７３】
これにより、防音壁１１や防音天井３０は、単なる板材の透光板材４４を積み上げるだけで閉塞空気層１６を形成することができ、厚めの板厚の透光板材４４にしているので、より優れた防音効果を得ることができる。
【００７４】
ただし、透光板材４４が厚く重過ぎる場合には、図１０（ａ）に示すように、長尺方向の上面と下面との間を相似形状で貫通して肉薄にする貫通穴４５ａが形成されている透光板材４５を用いたり、短尺方向の側面の間を相似形状で貫通して肉薄にする貫通穴４６ａが形成されている透光板材４６を用いることにより軽量化することもできる。この場合には、透光板材４５、４６の外面側に２枚の透光板材が存在するとともに、その間の貫通穴４５ａ、４６ａ内に空気層を形成する構造にになって、この構造でも騒音を減衰させることができる。
【００７５】
このように本実施形態においては、上述実施形態による作用効果に加えて、透光板材４４〜４６自体を積み上げて組み立てることができ、より作業性を向上させて低コスト化を図ることができる。
【産業上の利用可能性】
【００７６】
これまで本発明の一実施形態について説明したが、本発明は上述の実施形態に限定されず、その技術的思想の範囲内において種々異なる形態にて実施されてよいことは言うまでもない。
【符号の説明】
【００７７】
１０……防音ハウス      １１……防音壁      １１ａ……上側開口部      １１ｂ……下側開口部      １２……支柱部材      １２ｆ、３１ｆ……フランジ      １２ｗ、３１ｗ……ウェブ      １４……防音パネル      １５……閉塞部材      １６、３６……空気層      ２１……フレーム部材      ２１ｂ……開口部      ２２、４４〜４６……透光板材      ２４Ｋ……保持部材      ２４Ｔ……保持部材      ２５……支持ブロック      ２６……桟部      ３０……防音天井      ３０ａ……開口部      ３１……梁部材      ３２……大梁部材      ３３……小梁部材      ３４……折板屋根材      ４１……連結部材      ４５ａ、４６ａ……貫通穴
【図１】
0005168326.tif 000002
【図２】
0005168326.tif 000003
【図３】
0005168326.tif 000004
【図４】
0005168326.tif 000005
【図５】
0005168326.tif 000006
【図６】
0005168326.tif 000007
【図７】
0005168326.tif 000008
【図８】
0005168326.tif 000009
【図９】
0005168326.tif 000010
【図１０】
0005168326.tif 000011
【図１１】
0005168326.tif 000012